(57)【要約】      （修正有）【課題】炭素繊維の織組織を利用して、装飾効果を高めた装飾体を提供する。【解決手段】装飾体としてのメガネのリム１は、表面に加飾層３を設けて構成されている。加飾層３は、リム１の本体２の表面に接着されて配設されるとともに、炭素繊維の格子状の織組織を露出させるように、カーボンプリプレグ６を焼き固めたドライカーボン５から形成される加飾本体層４と、加飾本体層４の表面を覆うクリア層７と、から構成されている。【選択図】図２
0003154768.tif 000002
【実用新案登録請求の範囲】
【請求項１】
表面に加飾層を設けて構成される装飾体であって、
前記加飾層が、
装飾体の本体の表面に接着されて配設されるとともに、炭素繊維の格子状の織組織を露出させるように、カーボンプリプレグを焼き固めたドライカーボンから形成される加飾本体層と、
該加飾本体層の表面を覆うクリア層と、
から構成されていることを特徴とする装飾体。
【請求項２】
前記加飾本体層のカーボンプリプレグが、複数枚積層されていることを特徴とする請求項１に記載の装飾体。
【請求項３】
前記クリア層が、有色としていることを特徴とする請求項１若しくは請求項２に記載の装飾体。
【考案の詳細な説明】
【技術分野】
【０００１】
本考案は、表面に加飾層を設けた装飾体であり、メガネ、腕時計、万年筆等の筆記具、ギター等の楽器、音響機器、システムキッチンや椅子、テーブル等の家具等の身の回り品、生活用品、住宅設備機器、趣味娯楽品、事務用品等の装飾体に関する。
【背景技術】
【０００２】
従来、カーボンプリプレグからなる製品は、ゴルフクラブや釣り具等にあった（例えば、特許文献１参照）。そして、カーボンプリプレグを使用する目的は、専ら、それらの製品の性能を向上させるように、反発力や強度を向上させるために使用されていた。
【特許文献１】特開２００８−２００２７２号公報
【考案の開示】
【考案が解決しようとする課題】
【０００３】
しかし、カーボンプリプレグを使用した製品は、その強度等を向上させていることを看者にイメージさせ、その結果、綾織（斜文織）等の炭素繊維（布）の織組織（織り模様）自体が、使用する製品の性能を向上させたイメージを、製品使用者に与える場合があって、そのイメージによって、意匠性を向上させる可能性がある。
【０００４】
そこで、考案者は、この炭素繊維の織組織を、装飾効果を高めるように利用できる点に着目した。
【０００５】
本考案は、上述の課題を解決するものであり、炭素繊維の織組織を利用して、装飾効果を高めた装飾体を提供することを目的とする。
【課題を解決するための手段】
【０００６】
本考案に係る装飾体は、表面に加飾層を設けて構成される装飾体であって、
加飾層が、
装飾体の本体の表面に接着されて配設されるとともに、炭素繊維の格子状の織組織を露出させるように、カーボンプリプレグを焼き固めたドライカーボンから形成される加飾本体層と、
加飾本体層の表面を覆うクリア層と、
から構成されていることを特徴とする。
【０００７】
本考案に係る装飾体は、装飾体本体の表面に設けられた加飾層の加飾本体層が、カーボンプリプレグを焼成したドライカーボンからなり、その炭素繊維（布）の模様（織組織）が、その装飾体に強度を向上させたようなイメージを看者に与えて、装飾効果を発揮する。
【０００８】
また、ドライカーボンからなる加飾本体層の表面には、クリア層が設けられて、加飾本体層が、クリア層に保護されて傷付けられることを防止されるため、ドライカーボンの装飾効果の耐久性が向上し、本考案の装飾体は、良好な意匠を長期間にわたって維持できる。
【０００９】
したがって、本考案に係る装飾体は、強度を向上させたようなイメージを看者に与え、かつ、豪華な装飾効果を、発揮でき、さらに、その意匠性も長期間にわたって維持することが可能となる。
【００１０】
そして、本考案に係る装飾体では、加飾本体層のカーボンプリプレグを、複数枚積層させて構成すれば、曲げ等に対する剛性を向上させることができて、装飾体における加飾層を設けた部位の強度を、向上させることができる。
【００１１】
また、クリア層は、無色としていてもよいが、赤色や青色等を混ぜた有色透明として、装飾体における加飾層の周囲の部材の色に対応させて、装飾体の意匠性を一層向上させるようにしてもよい。
【考案を実施するための最良の形態】
【００１２】
以下、本考案の一実施形態を図面に基づいて説明すると、図１と図２のＡとに示す実施形態の装飾体は、メガネＧのリム１であり、レンズＬを嵌める凹溝２ａを備えたリム本体２の表面に、加飾本体層４と加飾本体層４の表面を覆うクリア層７と、からなる加飾層３が設けられて構成されている。加飾本体層４は、カーボンプリプレグ６を焼き固めたドライカーボン５から形成されて、炭素繊維（布）６ａの格子状の織組織（織り模様）４ａが現れている。そして、リム本体２は、カーボンプリプレグ６を接着させかつ焼き固めてドライカーボン５を形成可能な耐熱性を有した素材、実施形態の場合、マグネシウム、から構成されている。
【００１３】
このリム１の製造は、まず、予め所定形状に形成しておいたリム本体２の表面を、サンドブラスト等を利用して奇麗にする。ついで、炭素繊維（布）６ａにエポキシ樹脂等の熱硬化性接着剤６ｂを含浸させたカーボンプリプレグ６を、リム本体２の表面に貼り、さらに、カーボンプリプレグ６の加熱時に流出する接着剤６ｂ等の不要な溶剤を吸着可能な布材を巻き付けて、真空引きを可能にする袋内に、リム本体２を収納する。
【００１４】
その後、クレーブ釜に袋ごと入れて、加圧、真空引きしつつ、１２０〜１５０℃の加熱温度で、１〜３時間程度、加圧すれば、リム本体２の表面にドライカーボン５が焼成される。
【００１５】
そして、クレーブ釜から取り出すとともに、袋から、ドライカーボン５を設けたリム本体２を取り出して、バリ処理や下処理を行った後、アクリルやポリカーボネイト等の透明な塗料を塗布して、ドライカーボン５の表面に、クリア層７を設ければ、リム１を得ることができ、その後、テンプル８，８を組み付けて、所定のレンズＬをリム１に嵌めれば、メガネＧを製造することができる。
【００１６】
この実施形態のメガネＧのリム１では、リム本体２の表面に設けられた加飾層３の加飾本体層４が、カーボンプリプレグ６を焼成したドライカーボン５からなり、その炭素繊維（布）６ａの格子状の模様（織組織）４ａが、そのリム１に強度を向上させたようなイメージを看者に与えて、装飾効果を発揮する。
【００１７】
また、ドライカーボン５からなる加飾本体層４の表面には、クリア層７が設けられて、加飾本体層４が、クリア層７に保護されて傷付けられることを防止されるため、ドライカーボン５の装飾効果の耐久性が向上し、実施形態のリム１は、良好な意匠を長期間にわたって維持できる。
【００１８】
したがって、実施形態のメガネＧのリム１は、強度を向上させたようなイメージを看者に与え、かつ、豪華な装飾効果を、発揮でき、さらに、その意匠性も長期間にわたって維持することが可能となる。
【００１９】
そして、図２のＢに示すように、リム１Ａとして、加飾本体層４のカーボンプリプレグ６を、複数枚（図例では二枚）積層させて構成すれば、曲げ等に対する剛性を向上させることができて、強度も向上させることができる。勿論、実施形態のリム１は、カーボンプリプレグ６を一層としていても、リム本体２の単独使用に比べれば、強度を向上させることができる。
【００２０】
また、クリア層７は、無色としていてもよいが、赤色や青色等を混ぜた有色透明として、リム１における加飾層３の周囲の部材であるテンプル８の色に対応させて、リム１の意匠性を一層向上させるようにしてもよい。
【００２１】
なお、加飾層３を設けるリム本体２の材質は、カーボンプリプレグ６を接着させかつ焼き固めてドライカーボン５を形成可能な耐熱性を有していればよく、マグネシウムの他、鉄、アルミニウム等の金属材料、あるいは、木材、さらには、ポリアセタール、ポリカーボネイト、ＦＲＰ等の合成樹脂材料を例示できる。
【００２２】
また、加飾層３を設けて構成する装飾体は、図３に示すように、ケース本体（装飾体本体）１２やベルト本体（装飾体本体）１４の表面に加飾層３を設けた腕時計Ｗのケース１１やベルト１３、あるいは、図４に示すように、扉本体（装飾体本体）２２の表面に加飾層３を設けた流し台Ｆの扉２１等の種々のものを例示できる。
【００２３】
さらに、加飾本体層４の炭素繊維６ａの織組織（模様）４ａは、図例の平織の他、綾織（斜文織）、朱子織でもよい。
【００２４】
さらにまた、本考案の装飾体としては、図例のメガネＧ、腕時計Ｗ、流し台Ｆの他、万年筆等の筆記具、ギター等の楽器、音響機器、流し台以外のシステムキッチン、椅子、テーブル等の家具等の身の回り品、生活用品、住宅設備機器、趣味娯楽品、事務用品等を例示できる。
【図面の簡単な説明】
【００２５】
【図１】本考案の一実施形態を示すメガネの斜視図である。
【図２】実施形態の部分端面図であり、変形例を併せて示す。
【図３】他の実施形態の斜視図である。
【図４】さらに他の実施形態の斜視図である。
【符号の説明】
【００２６】
１…（装飾体）リム、
２…（装飾体本体）リム本体、
３…加飾層、
４…加飾本体層、
４ａ…（模様）織組織
５…ドライカーボン、
６…カーボンプリプレグ、
６ａ…炭素繊維（布）、
６ｂ…熱硬化性接着剤、
７…クリア層、
１１…（装飾体）ケース、
１２…（装飾体本体）ケース本体、
１３…（装飾体）ベルト、
１４…（装飾体本体）ベルト本体、
２１…（装飾体）扉、
２２…（装飾体本体）扉本体、
Ｇ…メガネ、
Ｗ…腕時計、
Ｆ…流し台。
【図１】
0003154768.tif 000003
【図２】
0003154768.tif 000004
【図３】
0003154768.tif 000005
【図４】
0003154768.tif 000006